(57)【要約】【課題】使い勝手のよい安価なシステムとなるような負荷量演算器を提供する。【解決手段】本発明の負荷量演算器１は、廃水処理施設２に設置された複数種の計測器１１〜１３から各々信号をサンプリングして負荷量を演算するとともに、演算した結果を出力可能な状態で保持する演算器本体３と、その演算器本体３に接続されるとともに、演算した結果を取り込んで出力する出力装置４とを備えて構成される。演算した結果は、出力装置４の起動時、及び起動中における所定時間毎に、その出力装置４に設けられる着脱自在のメモリカード２０に記憶される。【選択図】    図１
2004279070.tif 000002
【特許請求の範囲】
【請求項１】
廃水処理施設に設置された複数種の計測器から各々信号をサンプリングして負荷量を演算するとともに、演算した結果を出力可能な状態で保持する演算器本体と、該演算器本体に接続されるとともに、前記演算した結果を取り込んで出力する出力装置とを備えて構成する
ことを特徴とする負荷量演算器。
【請求項２】
請求項１に記載の負荷量演算器において、
前記出力装置における前記演算した結果の出力先は、前記出力装置に備えられる表示部と、前記出力装置を介して記録される汎用メディア又は前記出力装置に接続される前記廃水処理施設関連のネットワークである
ことを特徴とする負荷量演算器。
【請求項３】
請求項１又は請求項２に記載の負荷量演算器において、
前記演算した結果は、前記出力装置の起動時、及び起動中における所定時間毎に、前記出力装置に設けられる着脱自在のメモリカードに記憶される
ことを特徴とする負荷量演算器。
【請求項４】
請求項３に記載の負荷量演算装置において、
前記メモリカードは、前記出力装置の処理用プログラムを記憶する
ことを特徴とする負荷量演算器。
【請求項５】
請求項１ないし請求項４いずれか記載の負荷量演算器において、
前記演算器本体は、上位機器に対する接続部を有する
ことを特徴とする負荷量演算器。
【発明の詳細な説明】
【０００１  】
【発明の属する技術分野】
本発明は、水環境をモニタリングするための負荷量演算器に関し、特に、水質総量規制対象事業所の廃水処理施設に設置することが好適な負荷量演算器に関する。
【０００２  】
【従来の技術】
第５次水質総量規制の開始に伴い、遠隔地にある工業廃水等の水質監視を定常的に行い、そのデータをインターネットを経由して情報処理センターに送信し、情報処理センターでは送信されてきたデータを蓄積記憶しておき、ユーザーのアクセスに応じてそのデータを分析編集し、結果を出力させることができるように構築した水環境自動モニタリング及びそのデータ保存・加工・配信システムが提案されている（特許文献１参照）。
【０００３  】
上記提案は、業務のアウトソーシングのニーズが発生することを狙ってなされた提案であり、ユーザー端末にとって恰も専用に作られた環境にあるような感覚で使用することができるシステムとして構築されている。
【０００４  】
【特許文献１】
特開２００２−２０８０８３号公報  （第３−４頁、第１−２図）
【０００５  】
【発明が解決しようとする課題】
しかしながら、いくらユーザー端末にとって、恰も専用に作られた環境にあるような感覚で使用することができても、実際にはシステムが大がかりなものであるために、利用コスト等の面から、上記提案のシステムを使用することができない事業者も多々あると本願発明者は考えている。
【０００６  】
このような事業者は、既存の例えばロール記録紙内蔵の装置を用いて今後もデータ収集を行わなければならないことから、次のような問題点を有している。すなわち、上記ロール記録紙上のデータの管理やロール記録紙等の消耗品の管理を人手を介して行わなければならないことから、これらに関して煩わしさがあるという問題点を有している。
【０００７  】
本願発明者は、上記提案のシステムの使用ができないような事業者等を対象に、新たなシステムを提供することが必要であると考えている。従って、本発明は、使い勝手のよい安価なシステムとなるような負荷量演算器を提供することを課題とする。
【０００８  】
【課題を解決するための手段】
上記課題を解決するためなされた請求項１記載の本発明の負荷量演算器は、廃水処理施設に設置された複数種の計測器から各々信号をサンプリングして負荷量を演算するとともに、演算した結果を出力可能な状態で保持する演算器本体と、該演算器本体に接続されるとともに、前記演算した結果を取り込んで出力する出力装置とを備えて構成することを特徴としている。
【０００９  】
請求項２記載の本発明の負荷量演算器は、請求項１に記載の負荷量演算器において、前記出力装置における前記演算した結果の出力先は、前記出力装置に備えられる表示部と、前記出力装置を介して記録される汎用メディア又は前記出力装置に接続される前記廃水処理施設関連のネットワークであることを特徴としている。
【００１０  】
請求項３記載の本発明の負荷量演算器は、請求項１又は請求項２に記載の負荷量演算器において、前記演算した結果は、前記出力装置の起動時、及び起動中における所定時間毎に、前記出力装置に設けられる着脱自在のメモリカードに記憶されることを特徴としている。
【００１１  】
請求項４記載の本発明の負荷量演算器は、請求項３に記載の負荷量演算装置において、前記メモリカードは、前記出力装置の処理用プログラムを記憶することを特徴としている。
【００１２  】
請求項５記載の本発明の負荷量演算器は、請求項１ないし請求項４いずれか記載の負荷量演算器において、前記演算器本体は、上位機器に対する接続部を有することを特徴としている。
【００１３  】
請求項１に記載された本発明によれば、演算器本体と出力装置とを備えて負荷量演算器が構成される。負荷量演算器は、廃水処理施設において用いられるものであって、演算器本体は負荷量を演算する。廃水処理施設に係る負荷量の演算は、複数種の計測器から各々信号をサンプリングして行われる。尚、計測器としては、例えばＣＯＤ又はＵＶ計、ＴＮ計、ＴＰ計や流量計等が挙げられる。そして、このような演算器本体に接続される出力装置は、演算した結果を取り込み、これを出力する。
【００１４  】
請求項２に記載された本発明によれば、廃水処理施設に係る負荷量の演算結果は、出力装置の表示部に出力される。また、演算結果は、出力装置を介してフレキシブルディスク等の汎用メディアに記録というかたちで出力されるか、又は、出力装置に接続される廃水処理施設関連のネットワークに接続される例えばパーソナルコンピュータからの出力要求に応じて出力される。負荷量の演算結果が表示部に出力されることにより、施設現場での負荷量のモニタが可能になるとともに、報告書形式での状況把握が可能になる。また、汎用メディアやネットワークに出力されることにより、管理し易いところでのデータの加工、報告書の作成、プリントアウト等が可能になる。
【００１５  】
請求項３に記載された本発明によれば、出力装置が起動されると、演算器本体に保持された負荷量の演算結果が出力装置に取り込まれ、その出力装置のメモリカードに記憶される。また、出力装置の起動中も所定時間毎に負荷量の演算結果がメモリカードに記憶される。負荷量の演算結果が出力装置の起動時及び起動中にメモリカードに記憶されることにより、例えば起動前や異常時のデータの抜けを防止することが可能になる。
【００１６  】
請求項４に記載された本発明によれば、出力装置に対して着脱自在のメモリカードに出力装置の処理用プログラムが記憶される。これにより、例えば出力装置の故障時においてその対処を容易にすることが可能になる。すなわち、メモリカードを取り外して代替えの出力装置に取り付けるとともに、その代替えの出力装置を起動させれば、演算器本体に保持された負荷量の演算結果が代替えの出力装置に取り込まれてデータの抜けが防止される。
【００１７  】
請求項５に記載された本発明によれば、演算器本体が上位機器に対する接続部を有することにより、負荷量の演算結果に基づいて、又は計測器からの信号に基づいて上位機器での例えば異常監視をすることが可能になる。
【００１８  】
【発明の実施の形態】
以下、図面を参照して本発明の実施の形態を説明する。
図１は本発明の負荷量演算器の一実施の形態を示す図である。また、図２（ａ）は負荷量演算器の外観の一例を示す演算器本体及び出力装置の正面図、図２（ｂ）は演算器本体の背面図、図３は負荷量演算器で行われる処理を示すフローチャート、図４は初期化処理を示すフローチャート、図５はシステム起動処理を示すフローチャートである。
【００１９  】
図１及び図２において、引用符号１は廃水処理施設２の例えば排水口付近に設置される本発明の負荷量演算器を示している。その負荷量演算器１は、演算器本体３と、演算器本体３に接続される出力装置４とを備えて構成されている。また、負荷量演算器１は、持ち運び自在に、言い換えれば廃水処理施設２の任意の位置に設置することが容易となるように構成されている。以下、各構成について詳細に説明する。
【００２０  】
上記演算器本体３は、入力ユニット５及び６と、演算処理ユニット７と、上位機器接続ユニット８及び９とを備えて構成されている。また、演算器本体３は、その一部が所謂プログラマブルロジックコントローラ（ＰＬＣ）と同様の機能を有するように構成されている。
【００２１  】
入力ユニット５は、アナログ入力用のユニットであって、Ａ／Ｄ変換を行うことができるように構成されている。これに対し、入力ユニット６は、デジタル入力用のユニットとして構成されている。これら入力ユニット５及び６には、外部接続用の端子台１０を介して複数種の計測器１１（１１ａ〜１１ｃ）、１２（１２ａ〜１２ｄ）、及び１３が接続されるようになっている。
【００２２  】
ここで、上記計測器１１〜１３について説明する。計測器１１ａはＣＯＤ又はＵＶ計、計測器１１ｂはＴＮ計、計測器１１ｃはＴＰ計であり、入力ユニット５及び６にそれぞれ接続されている。また、計測器１２ａはｐＨ計、計測器１２ｂはＤＯ計、計測器１２ｃはＯＲＰ計、計測器１２ｄは濁度計であり、入力ユニット５に対して一つ又は複数、必要に応じて接続されている。また、計測器１３は流量計（排水流量計）であり、入力ユニット５及び６にそれぞれ接続されている。
【００２３  】
入力ユニット５には、水質濃度信号（計測器１１の計測信号）と、排水流量信号（計測器１３の計測信号）とが入力されるとともに、計測器１２の計測信号が入力されるようになっている。また、入力ユニット６には、状態信号（計測器１１及び１３に対する調整中信号、故障中信号、及び電源断中信号や、排水がない場合の排水無し信号）が入力されるようになっている。
【００２４  】
演算処理ユニット７は、入力ユニット５及び６に接続されており、上記計測器１１〜１３から各々送られてくる信号をサンプリングする機能を有している。また、演算処理ユニット７は、上記サンプリングデータに基づいて水質汚濁負荷量を演算するとともに、演算した結果を出力可能な状態で保持する機能を有している。このような演算処理ユニット７は、特に図示しないが、所謂マイクロコンピュータで知られる演算部、メモリ、記憶部、タイマ部、インターフェース部等で構成されているものとする。
【００２５  】
尚、本形態の演算処理ユニット７は、上記負荷量の演算結果等に基づいて、所定様式の報告書データを作成するとともに、これを保持するような構成になっている。上記負荷量の演算式に関しては、設定したフルスケール値や係数データ等により演算を行う既知の方法を採用しており、ここではその説明を省略するものとする。
【００２６  】
本形態の演算処理ユニット７では、上記負荷量の他に、排水流量や水質濃度も演算するようになっている。これら演算結果は、上記負荷量の演算結果と同様に保持されるようになっている（本形態において、具体的な演算項目は、時間積算流量、時間負荷量、時間平均水質、日積算流量、日負荷量、日平均水質、瞬時水質、瞬時負荷量である）。
【００２７  】
上位機器接続ユニット８及び９は、上位機器１４に対する接続部であって、演算処理ユニット７に接続されており、上位機器１４において例えば異常監視をすることができるように設定されている。上位機器接続ユニット８は、アナログ出力用のユニットであって、Ｄ／Ａ変換を行うことができるように構成されている。これに対し、上位機器接続ユニット９は、デジタル出力用のユニットとして構成されている。上位機器接続ユニット８及び９の設定は、任意であるものとする。すなわち、必要に応じて設定されるものとする。
【００２８  】
演算器本体３において、引用符号１５は上記構成を収納するための筐体に設けられた電源接続端子台を示している。また、引用符号１６は電源スイッチ、引用符号１７は出力装置４に対する接続部を示している。
【００２９  】
上記出力装置４は、演算器本体３に保持された上記負荷量等の演算結果を取り込んで出力するための装置であって、演算器本体３に対して別体となるように構成されている。すなわち、本形態における出力装置４は、演算器本体３と共に排水口付近に設置する必要がなく、使い勝手がよくなる位置に配設することができるようになっている。出力装置４は、ケーブル（ＲＳ−２３２Ｃ）１８を介して演算器本体３の接続部１７に接続されている。
【００３０  】
出力装置４は、上記負荷量等の演算結果を表示するための表示部１９を有するものであって、本形態においては、所謂タッチパネルコンピュータを用いて構成されている（タッチパネルコンピュータに限定するものではない。本発明に必要な機能を有していればデスクトップ型やノート型のパーソナルコンピュータ等を用いて構成してもよいものとする）。出力装置４は、表示部１９を介して各種定数の設定や状態のモニタや報告書の表示等ができるようになっている。
【００３１  】
このような出力装置４には、上記表示部１９の他に、着脱自在のメモリカード（例えばＣＦカード）２０と、汎用メディア（例えばフレキシブルディスクドライブにより書き込まれるフレキシブルディスク）２１とが設けられている。
【００３２  】
メモリカード２０は、取り込んだ上記負荷量等の演算結果を記憶するための装置であって、本形態においては、出力装置４の処理用プログラムも一緒に記憶されている。メモリカード２０は、上記のように上記負荷量等の演算結果や出力装置４の処理用プログラムを記憶していることから、例えば出力装置４に故障が生じたとしても、メモリカード２０を取り外し代替えの出力装置に取り付ければ、容易に故障に対する処置ができるようになっている（データの抜け防止等の利点がある）。
【００３３  】
汎用メディア２１は、管理し易いところでのデータの加工や報告書の作成及びそのプリントアウト等を可能にするための装置として設けられている。本形態においては、このような汎用メディア２１に替えて、出力装置４に接続される廃水処理施設関連のネットワーク２２を用いてもよいものとする。
【００３４  】
次に、本発明の負荷量演算器１で行われる処理を図３ないし図５のフローチャートを参照しながら説明する。尚、必要に応じて図１も参照するものとする。演算器本体３では常時サンプリング及び演算が行われているものとする。
【００３５  】
図３において、出力装置４の図示しない電源がオンされると、ステップＳ１の初期化処理とステップＳ２のシステム起動処理とが順に実行される。
【００３６  】
図４において、上記初期化処理では、ステップＳ１１〜ステップＳ１５までが順に実行される。すなわち、ステップＳ１１では、演算器本体３の初期化が行われるとともに、出力装置４と演算器本体３との間で時刻合わせが行われる。時刻合わせが行われた後、ステップＳ１２では、各種の設定情報が出力装置４を介して演算器本体３に書き込まれる。
【００３７  】
ステップＳ１３では、演算器本体３から取り込みが行われていない未収集の報告書データがあるか否かが判断され、未収集の報告書データがある場合（ステップＳ１３でＹ）には、次のステップＳ１４へ移行する。これに対し、未収集の報告書データがない場合（ステップＳ１３でＮ）には、一連の初期化処理が終了する。
【００３８  】
ステップＳ１４へ処理が移行すると、演算器本体３に保持された報告書データの取り込みが行われる。取り込まれた報告書データは、ステップＳ１５に示されるようにメモリカード２０に記憶される。メモリカード２０への記憶が完了すると、一連の初期化処理が終了する。
【００３９  】
図５において、上記システム起動処理では、ステップＳ２１〜ステップＳ２８までが順に実行される。すなわち、ステップＳ２１では、表示部１９に表示するためのデータ収集が行われる。この時、表示部１９がモニタ画面であれば演算器本体３からモニタ用のデータが収集される。また、表示部１９において報告書画面が選択されれば、メモリカード２０に記憶された報告書データが引き出され、表示部１９に表示される。尚、ステップＳ２２で示されるように画面表示の更新及び異常チェックが同時に行われる。
【００４０  】
ステップＳ２３に移行すると、そのステップＳ２３では、前回の処理から例えば１分以上時間が経過したか否かが判断され、１分以上時間が経過した場合（ステップＳ２３でＹ）には、次のステップＳ２４へ移行する。これに対し、時間が経過してない場合（ステップＳ２３でＮ）には、後述するステップＳ２６へ移行する。
【００４１  】
ステップＳ２４へ処理が移行すると、そのステップＳ２４では、未収集の報告書データがあるか否かが判断され、未収集の報告書データがある場合（ステップＳ２４でＹ）には、次のステップＳ２５へ移行する。これに対し、未収集の報告書データがない場合（ステップＳ２４でＮ）には、後述するステップＳ２６へ移行する。ステップＳ２５へ処理が移行すると、そのステップＳ２５では、演算器本体３に保持された報告書データの取り込みが行われる。
【００４２  】
ステップＳ２６へ処理が移行すると、そのステップＳ２６では、日付が変わったか否かが判断され、日付が変わった場合（ステップＳ２６でＹ）には、次のステップＳ２７へ移行する。これに対し、日付が変わらない場合（ステップＳ２６でＮ）には、後述するステップＳ２８へ移行する。日付が変わったと判断されて移行したステップＳ２７では、出力装置４と演算器本体３との間で時刻合わせが行われる。報告書データは新しい日付で作成されるようになる。
【００４３  】
ステップＳ２８へ処理が移行すると、そのステップＳ２８では、システム終了要求があるか否かが判断され、要求がない場合（ステップＳ２８でＮ）には、再びステップＳ２１の処理に戻ってこれを実行する。一方、要求がある場合（ステップＳ２８でＹ）には、一連のシステム起動処理が終了する。
【００４４  】
以上、図１ないし図５を参照しながら説明してきたように、本発明の負荷量演算器１は、従来のような管理面等での煩わしさがなく、使い勝手のよいシステムであることが分かる。また、上記構成から安価なシステムであることが分かる。
【００４５  】
その他、本発明は本発明の主旨を変えない範囲で種々変更実施可能なことは勿論である。
【００４６  】
【発明の効果】
以上説明したように、使い勝手のよい安価なシステムとなる負荷量演算器を提供することができるという効果を奏する。
【図面の簡単な説明】
【図１】本発明による負荷量演算器の一実施の形態を示すブロック図である。
【図２】（ａ）は負荷量演算器の外観の一例を示す演算器本体及び出力装置の正面図、（ｂ）は演算器本体の背面図である。
【図３】負荷量演算器で行われる処理を示すフローチャートである。
【図４】初期化処理を示すフローチャートである。
【図５】システム起動処理を示すフローチャートである。
【符号の説明】
１  負荷量演算器
２  廃水処理施設
３  演算器本体
４  出力装置
５、６  入力ユニット
７  演算処理ユニット
８、９  上位機器接続ユニット（接続部）
１０  外部接続用の端子台
１１〜１３  計測器
１４  上位機機
１５  電源接続端子台
１６  電源スイッチ
１７  接続部
１８  ケーブル
１９  表示部
２０  メモリカード
２１  汎用メディア
２２  廃水処理施設関連のネットワーク
【図１】
2004279070.tif 000003
【図２】
2004279070.tif 000004
【図３】
2004279070.tif 000005
【図４】
2004279070.tif 000006
【図５】
2004279070.tif 000007